(57)【要約】【課題】移動体監視システムにおいて、監視対象の移動体の位置を精度よく認識できると共に、撮影映像の記録容量を格段に低減しつつ確実な監視を可能とすること。【解決手段】移動体監視システム１００は、監視エリア２０内を撮影する監視カメラ４と、監視エリア２０の複数箇所に設置され、その監視エリア２０内の移動体２に取付けられた無線タグ３から情報を無線により受信する無線ＬＡＮ送受信機５と、監視カメラ４及び無線ＬＡＮ送受信機５と情報を送受信する監視サーバ６とを備える。監視サーバ６は、複数の無線ＬＡＮ送受信機５で受信した無線タグ３の情報に基づいて三辺測量法により移動体２の位置を認識すると共に、移動体２の異常発生情報に基づいて当該移動体２の撮影を開始するように監視カメラ４に撮影開始指令を送信し、監視カメラ４で撮影した映像を記録する機能を備えている。【選択図】図１
2006163764.tif 000002
【特許請求の範囲】
【請求項１】
監視エリア内を撮影する監視カメラと、
前記監視エリアの複数箇所に設置され、その監視エリア内の移動体に取付けられた無線タグから情報を無線により受信する無線ＬＡＮ受信機と、
前記監視カメラ及び前記無線ＬＡＮ受信機と情報を送受信する監視サーバとを備え、
前記監視サーバは、前記複数の無線ＬＡＮ受信機で受信した前記無線タグの情報に基づいて三辺測量法により前記移動体の位置を認識すると共に、前記移動体の異常発生情報に基づいて当該移動体の撮影を開始するように前記監視カメラに撮影開始指令を送信し、前記監視カメラで撮影した映像を記録する機能を備えた
ことを特徴とする移動体監視システム。
【請求項２】
請求項１の移動体監視システムにおいて、前記監視カメラは前記監視エリアの複数箇所に設置され、前記監視サーバは前記移動体の異常発生情報に基づいて当該移動体を撮影可能な監視カメラに撮影開始指令を送信する機能を備えたことを特徴とする移動体監視システム。
【請求項３】
請求項２の移動体監視システムにおいて、前記監視カメラと前記無線ＬＡＮ受信機とは互いに近傍に設置され、前記監視カメラ及び前記無線ＬＡＮ受信機と前記監視サーバとは共通の有線ＬＡＮにて接続されていることを特徴とする移動体監視システム。
【請求項４】
請求項１または２の移動体監視システムにおいて、前記移動体は防犯装置を備えており、前記異常発生情報は前記防犯装置により生成される情報であることを特徴とする移動体監視システム。
【請求項５】
請求項４の移動体監視システムにおいて、前記無線ＬＡＮ受信機は防犯装置から無線で送信される異常発生情報を受信する機能を備え、前記監視サーバは前記無線ＬＡＮ受信機に受信された異常発生情報に基づいて前記監視カメラに撮影開始指令を送信する機能を備えたことを特徴とする移動体監視システム。
【請求項６】
請求項１または２の移動体監視システムにおいて、前記異常発生情報は前記移動体の監視開始情報と前記移動体の移動検知情報とにより生成される情報であることを特徴とする移動体監視システム。
【請求項７】
請求項６の移動体監視システムにおいて、前記移動体の移動検知情報は前記無線タグにより生成される情報であることを特徴とする移動体監視システム。
【請求項８】
請求項４から７の何れかの移動体監視システムにおいて、前記監視カメラは撮影開始を指示された移動体を拡大ズームで撮影する機能を備えたことを特徴とする移動体監視システム。
【請求項９】
請求項４から７の何れかの移動体監視システムにおいて、前記監視カメラは撮影開始を指示された移動体が移動状態にある場合にはそれに追随して撮影する機能を備えたことを特徴とする移動体監視システム。
【発明の詳細な説明】
【技術分野】
【０００１】
本発明は、移動体監視システムに係り、特に所定の監視エリアにおける移動体監視システムに好適なものである。
【背景技術】
【０００２】
従来の車両監視装置として、特開２００３−３１２４４７号公報（特許文献１）に示されたものがある。この特許文献１の車両監視装置は、車両の盗難防止用の監視カメラによる監視の死角を少なくすると共に、複数のカメラによる多重監視を可能にするために、監視用のカメラと、自車の現在位置を検出する位置検出手段と、車両の異常を通報するための広域通信手段と、周辺に位置する同じ車両監視装置や駐車場監視設備と通信するための狭域通信手段と、これらを制御する制御装置とを具備するものである。そして、位置検出手段としては、ＧＰＳ衛星からの信号を受信して自車の現在位置を検出するＧＰＳ受信機、さらには、広域通信手段や狭域通信手段を介して携帯電話網、ＶＩＣＳ等の外部の通信インフラストラクチャから自車の現在位置情報を取得するものが開示されている。また、この特許文献１の車両監視装置では、監視開始操作を受けて自車の監視動作を開始し、その後に異常を検出し、異常または異常の兆候が発見された場合にその異常を通報するようになっている。
【０００３】
【特許文献１】特開２００３−３１２４４７号公報
【発明の開示】
【発明が解決しようとする課題】
【０００４】
しかし、従来の車両監視装置では、外部の通信事業者の通信設備を用いて車両監視するものであるため、運用費用が嵩むと共に、ＧＰＳ衛星を用いた場合には、自車の現在位置を精度よく検出することが難しいと共に、地下、屋根付きドームや屋内施設での位置検出ができないという課題があった。また、従来の車両監視装置では、異常または異常の兆候が発見される前に監視が開始されるため、長時間にわたって監視しなければならず、撮影映像の記録容量を大きく必要とするという課題があった。
【０００５】
本発明の目的は、地下、屋根付きドームや屋内施設での位置検出が可能でしかも監視対象の移動体の位置を精度よく認識できると共に、撮影映像の記録容量を格段に低減しつつ確実な監視が可能な移動体監視システムを提供することにある。
【課題を解決するための手段】
【０００６】
前述の目的を達成するために、本発明は、監視エリア内を撮影する監視カメラと、前記監視エリアの複数箇所に設置され、その監視エリア内の移動体に取付けられた無線タグから情報を無線により受信する無線ＬＡＮ受信機と、前記監視カメラ及び前記無線ＬＡＮ受信機と情報を送受信する監視サーバとを備え、前記監視サーバは、前記複数の無線ＬＡＮ受信機で受信した前記無線タグの情報に基づいて三辺測量法により前記移動体の位置を認識すると共に、前記移動体の異常発生情報に基づいて当該移動体の撮影を開始するように前記監視カメラに撮影開始指令を送信し、前記監視カメラで撮影した映像を記録する機能を備えた構成にしたことにある。
【０００７】
係る本発明のより好ましい具体的な構成例は次の通りである。
（１）前記監視カメラは前記監視エリアの複数箇所に設置され、前記監視サーバは前記移動体の異常発生情報に基づいて当該移動体を撮影可能な監視カメラに撮影開始指令を送信する機能を備えたこと。
（２）前記監視カメラと前記無線ＬＡＮ受信機とは互いに近傍に設置され、前記監視カメラ及び前記無線ＬＡＮ受信機と前記監視サーバとは共通の有線ＬＡＮにて接続されていること。
（３）前記移動体は防犯装置を備えており、前記異常発生情報は前記防犯装置により生成される情報であること。
（４）前記無線ＬＡＮ受信機は防犯装置から無線で送信される異常発生情報を受信する機能を備え、前記監視サーバは前記無線ＬＡＮ受信機に受信された異常発生情報に基づいて前記監視カメラに撮影開始指令を送信する機能を備えたこと。
（５）前記異常発生情報は前記移動体の監視開始情報と前記移動体の移動検知情報とにより生成される情報であること。
（６）前記移動体の移動検知情報は前記無線タグにより生成される情報であること。
（７）前記監視カメラは撮影開始を指示された移動体を拡大ズームで撮影する機能を備えたこと。
（８）前記監視カメラは撮影開始を指示された移動体が移動状態にある場合にはそれに追随して撮影する機能を備えたこと。
【発明の効果】
【０００８】
本発明によれば、地下、屋根付きドームや屋内施設での位置検出が可能でしかも監視対象の移動体の位置を精度よく認識できると共に、撮影映像の記録容量を格段に低減しつつ確実な監視が可能な移動体監視システムが得られる。
【発明を実施するための最良の形態】
【０００９】
以下、本発明の一実施例に係る移動体監視システムについて図１〜図１０を用いて説明する。
【００１０】
まず、本実施例の移動体監視システムの全体構成に関して図１０を参照しながら説明する。
【００１１】
図１は移動体監視システム１００は、図１に示すように、監視エリア２０内を撮影する監視カメラ４と、その監視エリア２０内の移動体２に取付けられた無線タグ３と情報を無線により送受信すると共にＰＤＡ端末９ｂと情報を無線により送受信する無線ＬＡＮ送受信機５と、監視カメラ４及び無線ＬＡＮ送受信機５と有線ＬＡＮ１を介して情報を送受信するように接続された監視サーバ６とを備えて構成されている。さらに、移動体監視システム１００は、監視サーバ６と有線ＬＡＮ１Ａを介して接続された車両管理サーバ７、Ｗｅｂサーバ８及び入力端末１０とを備えて構成されている。
【００１２】
移動体２は車両や人間などのように移動が可能な対象体であり、監視エリア２０内に存在する移動体２が移動体監視システム１００で監視の対象となる。本実施例では、移動体２が車両であり、監視エリア２０がその移動体２を多数展示する展示会場である場合について説明する。この展示会場は一般に駐車場が利用される。
【００１３】
各移動体２には、その隠れた場所に当該移動体２の監視を開始するための監視開始スイッチが配備されている。移動体２の防犯装置は、監視開始スイッチがオンされた状態で、移動体２の位置が変更されると、無線タグ３から異常発生情報を無線で送信するものである。なお、移動体２の防犯装置としては、これに限られることなく、当該移動体２の異常を検知して異常発生情報を生成して無線で発する種々のものが適用可能である。
【００１４】
無線タグ３は、無線ＬＡＮタグ、無線ＩＣタグ（ＲＦＩＤ）などと呼ばれるタグであり、移動体２の内部の隠れた場所に装着されている。この無線タグ３は、通常の動作時には、所定期間、例えば３分毎に送信するように設定されている。このように所定期間で送信することにより、無線タグ３の動作可能期間（電源寿命）を長くすることができる。
【００１５】
監視カメラ４は、監視エリア２０内の複数箇所に設置され、監視エリア２０内に存在する移動体２の全体を複数の監視カメラ４でカバーできるように構成されている。各監視カメラ４は有線ＬＡＮ１を介して監視サーバ６に接続されている。そして、監視カメラ４は、本システムのために新設してもよいが、防犯システムとして既設されている監視カメラ及び有線ＬＡＮを利用できる場合には、その既存の監視カメラ及び有線ＬＡＮを利用することが費用の点及び既存の防犯システムとの連動、協働の点から好ましい。さらに、監視カメラ４は、撮影開始を指示された移動体２を拡大ズームで撮影する機能と、その移動体が移動状態にある場合にはそれに追随して撮影する機能とを備えている。
【００１６】
無線ＬＡＮ送受信機５は、監視エリア２０の複数箇所に設置され、その監視エリア２０内に位置する全ての無線タグ３からの情報を複数台で受信できるように配置されている。また、各無線ＬＡＮ送受信機５は移動体４の防犯装置から無線で送信される異常発生情報を受信する機能を備えている。これらの無線ＬＡＮ送受信機５は有線ＬＡＮ１を介して監視サーバ６に接続されている。そして、監視カメラ４と無線ＬＡＮ送受信機５とは、互いに近傍に設置されて一対に構成され、監視サーバ６に対して共通の有線ＬＡＮ１にて接続されている。これによって、設備費用を低減することができ、特に既存の監視カメラの有線ＬＡＮを利用する場合に有効である。なお、本実施例では有線ＬＡＮ１、１Ａを用いた例であるが、可能であれば有線ＬＡＮ１、１Ａの代わりに無線ＬＡＮを用いても良い。また、本実施例では監視カメラ４と無線ＬＡＮ送受信機５とが互いに近傍に設置されている例であるが、本発明は監視カメラ４と無線ＬＡＮ送受信機５とが離れて設置されていても良い。
【００１７】
監視サーバ６は、複数の無線ＬＡＮ送受信機５で受信した無線タグ３の情報に基づいて三辺測量法により移動体２の位置を認識すると共に、監視エリア２０内の移動体２の異常発生情報に基づいて当該移動体２の撮影を開始するように監視カメラ４に撮影開始指令を送信し、監視カメラ４で撮影した映像を記録する機能を備えている。複数の無線ＬＡＮ送受信機５で受信した無線タグ３の情報に基づいて三辺測量法により移動体２の位置を認識する本実施例では、誤差が１〜３ｍ程度であり、ＧＰＳを用いて移動体２の位置を認識する場合の一般的な誤差が１０ｍ程度であること比べて、格段に高精度な位置検出が可能である。これによって、特定の移動体２の監視が可能となっている。また、本実施例では、地下、屋根付きドームや屋内施設での位置検出が可能である。
【００１８】
図２は本実施例の監視サーバ６の構成図である。この監視サーバ６は、入力部６１、制御部６２、表示部６３、記憶部６４、通信部６５、およびプリンタ６６を有して構成されている。かかる入力部６１は、キーボードなどの入力部を有し、制御部６２に接続される。制御部６２は、マイコンなどにより構成され、この移動体監視システムにおける主要な処理を行なう。表示部６３は、ＣＲＴ表示部、液晶表示部などにより構成され、制御部６２に接続され、移動体監視システムの運営に必要な送受信画面および入力画面などを表示する。記憶部６４は、制御部６２の処理に必要な情報及び処理結果などを全て記憶するものであり、制御部６２に接続される。通信部６５は、制御部６２を有線ＬＡＮ１、１Ａに送受信を可能にする機能を有する。
【００１９】
図３は本実施例の監視サーバ６の記憶部６４のファイル構成図である。この記憶部６４内のファイル構造は、サーバ制御用ソフトウエア６４ａ、位置計測ソフトウエア６４ｂ、監視撮影ソフトウエア６４ｃ、及び監視データベース６４ｄを有して構成されている。
【００２０】
サーバ制御用ソフトウエア６４ａは監視サーバ６自身の制御を司るソフトウエアである。位置計測ソフトウエア６４ｂは、監視エリア２０内の移動体２の位置を計測するためのソフトウエアである。この位置計測ソフトウエア６４ｂは、無線ＬＡＮ送受信機５を通して受信した移動体２の無線タグ３の情報に基づいてその移動体２の位置を計測する機能を有しており、具体的には、複数の無線ＬＡＮ送受信機５で受信した無線タグ３の情報に基づいて三辺測量法により移動体２の位置を認識する機能を有している。この位置の認識結果は、監視データベース６４ｄに記憶され、監視撮影ソフトウエア６４ｃ、車両管理サーバ７及びＷｅｂサーバ８で利用される。
【００２１】
監視撮影ソフトウエア６４ｃは、監視エリア２０内の移動体２を撮影するためのソフトウエアである。この監視撮影ソフトウエア６４ｃは、監視エリア２０内の移動体２の異常発生情報に基づいて当該移動体２の撮影を開始するように監視カメラ４に撮影開始指令を送信する機能を有している。監視カメラ４で撮影された結果は、全て監視データベース６４ｄに記憶され、車両管理サーバ７及びＷｅｂサーバ８で利用される。なお、監視データベース６４ｄには、タグ管理番号及びＩＰアドレスなども格納される。
【００２２】
車両管理サーバ７は、有線ＬＡＮ１Ａを介して、監視サーバ６及びＷｅｂサーバ８と接続されている。この車両管理サーバ７は、監視サーバ６と同様に、入力部、制御部、表示部、記憶部、通信部、およびプリンタを有して構成されている。車両管理サーバ７の記憶部には、車両データベース７ａを備えている。この車両データベース７ａには、移動体２の位置情報、出品車両番号、タグ管理番号及びＩＰアドレスなどが格納される。
【００２３】
Ｗｅｂサーバ８は、有線ＬＡＮ１Ａを介して監視サーバ６及び車両管理サーバ７と接続され、専用サイトを備えて無線を介して利用者端末９と接続される。このＷｅｂサーバ８は、入力部、制御部、表示部、記憶部、通信部、およびプリンタを有して構成されている。車両管理サーバ７の記憶部には、車両データベース７ａを備えている。この車両データベース７ａには、移動体２の位置情報、出品車両番号、タグ管理番号及びＩＰアドレスなどが格納される。
【００２４】
利用者端末９は、展示された移動体２を販売業者や顧客などの利用者が検索するためのものであり、携帯端末（携帯電話を含む）９ａ及びＰＤＡ端末９ｂなどで構成される。展示会の利用者は、携帯電話９ａでＷｅｂサーバ８の専用サイトにアクセスすることにより、出品車両位置、車両情報などを得ることができると共に、ＰＤＡ端末９ｂで無線ＬＡＮ送受信機５にアクセスすることにより、出品車両位置、車両情報などを得ることができる。
【００２５】
入力端末１０は、移動体２に関する情報を入力するためのものであり、バーコードリーダ１０ａを備えている。この入力端末１０は、展示される移動体２に配備される無線タグ３のバーコードをバーコードリーダ１０ａで読み込み、出品車両番号、タグ管理番号などを監視サーバ６、車両管理サーバ７及びＷｅｂサーバ８のデータベース６４ｄ、７ａ、８ｂに記憶するために用いられる。
【００２６】
次に、移動体監視システム１００の動作例を図４から図１０を参照しながら説明する。
【００２７】
まず、移動体２を展示する前に検査場で検査した後、図４に示すように、無線タグ３から出品車両番号、タグ管理番号を入力端末１０のバーコードリーダ１０ａで読み取り、監視サーバ６、車両管理サーバ７及びＷｅｂサーバ８のデータベース６４ｄ、７ａ、８ｂに記憶する。読み取りを終了した無線タグ３を移動体２に設置した後、その移動体２を監視エリア２０に移動して到着順に指定エリアに駐車する。この駐車は車両番号に拘らず、到着順に区画内に駐車する。
【００２８】
次いで、移動体２が駐車した後に所定時間（例えば２分）が経過し時点で、図５に示すように、無線タグ３は移動体２が停止したと判断し、当該移動体２の位置検知を無線により無線ＬＡＮ送受信機５に送信して監視サーバ６に要求する。監視サーバ６は、この要求に基づいて、３回の位置測定を実施する。この位置測定は、上述したように複数の無線ＬＡＮ送受信機５で受信した無線タグ３の情報に基づいて三辺測量法により移動体２の位置を認識することにより行なわれる。この認識結果を監視データベース６４に登録する。この他、予め設定した時刻に全ての移動体２の位置検知を実施する。また、図６に示すように、車両管理サーバ７のデータベース７ａより定期的に監視サーバ６のデータベース６４ｄにアクセスして、データベース７ａの位置情報を更新する。
【００２９】
このようにして、監視エリア２０内に移動体２が配置され、その位置情報が各データベース６４ｄ、７ａ、８ｂに記憶された状態で、販売業者は、例えば携帯端末９ａを用いて移動体２の位置を検索することにより、図７に示すように検索することができる。即ち、携帯端末９ａによりＷｅｂサーバ８の専用サイトにアクセスすると、図７（ａ）の画面に示すように、「出品車両番号を入力して下さい。」と表示される。これによって、容易に車両番号を入力することができる。車両番号を例えば「２４６」と入力し、検索ボタンを選択すると、図７（ｂ）の画面に示すように、「車両位置Ａエリア」の文字表示と共に、監視エリア２０全体の区画されたエリア内の該当位置にマークが点滅表示される。これによって、当該移動体２の概略位置を把握することができる。さらに、その「車両位置Ａエリア」を選択すると、図７（ｃ）の画面に示すように、「出品番号２４０、車種Ｅ２２０、色シルバー」の文字表示と共に、Ａエリア内の該当位置にマークが点滅表示される。これによって、当該移動体２の詳細位置を把握することができる。このように移動体２の位置を２段階で表示することにより、利用者の使い勝手を良好なものとすることができる。
【００３０】
また、顧客は、例えば無線ＬＡＮ対応のＰＤＡ端末９ｂを用いて移動体２の位置を検索することにより、図８に示すように検索することができる。即ち、ＰＤＡ端末９ｂにより移動体監視システム１００にアクセスすると、図８（ａ）の画面に示すように、検索項目が表示されるので、希望項目を選択した後に検索ボタンを選択すると、図８（ｂ）の画面に示すように、検索結果が一覧表示される。この中から顧客が希望するものを選択すると、図８（ｃ）の画面に示すように、「あなたの位置は、Ｂ−５ゾーン付近です。該当車両は、Ａ−３ゾーン付近に展示中です。」の文字表示と共に、監視エリア２０全体の区画ゾーンとその区画ゾーンに対応する該当顧客位置に及び該当移動体位置にマークが点滅表示される。これによって、希望する移動体２の位置を顧客位置と共に把握することができ、極めて使い勝手のよいものとなっている。
【００３１】
また、移動体２の位置を変更した場合には、図９に示すように、自動的に位置検知を実施する。即ち、移動体２が移動すると、無線タグ３内のセンサーがそれを感知し、移動開始時点で位置検知を行ない、停止した後に２分経過した時点で、移動体２の移動が終了したと判断する。この判断に基づいて、移動体２の位置を再度測定する。測定方法、測定結果の保存は、上述したと同様に行なわれる。
【００３２】
次に、移動体２の盗難や被害などを監視する監視サーバ６の動作について、図１０の動作フローを参照しながら説明する。
【００３３】
移動体２の盗難や被害を監視する場合には、移動体２に装備された監視開始スイッチをオンする（ステップＳ１）。監視開始スイッチがオンされると、無線タグ３がそれを感知し、監視開始情報を生成して無線で発信する（ステップＳ２）。無線ＬＡＮ送受信機５は、この監視開始情報を受信すると、有線ＬＡＮ１を介して監視サーバ６に中継する（ステップＳ３）。監視サーバ６は、この監視開始情報を受信すると、その移動体２の監視開始情報を記憶部６４に記憶する（ステップＳ４）。
【００３４】
この状態で、移動体２が移動されると（ステップＳ５）、無線タグ３がその移動体２の移動を感知し、異常が発生したとみなして異常発生情報を生成して無線で発信する（ステップＳ６）。複数の無線ＬＡＮ送受信機５は、この異常発生情報を受信すると、有線ＬＡＮ１を介して監視サーバ６に中継する（ステップＳ７）。監視サーバ６はこの異常発生情報を受信すると、記憶部６４に記憶されたその移動体２の監視開始情報と比較し、それに合致する移動体２の異常発生情報である場合に真の異常発生情報であると判定する（ステップＳ８）。
【００３５】
真の異常発生情報と判定された場合には、その異常発生情報に基づいて三辺測量法により移動体２の位置の測定を行ない（ステップＳ９）、撮影開始指令を生成してその移動体２の撮影が可能な監視カメラ４に送信する（ステップＳ１０）。監視カメラ４は、この撮影開始指令に基づいて、対象となる移動体２の撮影を開始し、撮影した映像を監視サーバ６に送信する（ステップＳ１１）。この撮影において、撮影開始を指示された移動体２に最も近い監視カメラ４に拡大ズームで撮影するように指令する。また、監視カメラ４にその移動体２の移動に追随して撮影するように指令する。この追随撮影は、監視カメラ４の向きを追随させることと、複数の監視カメラ４の中で撮影可能な監視カメラ４を選択して追随させることを含む。
【００３６】
監視サーバ６は、監視カメラ４で撮影された映像を受信すると、その撮影映像を記憶部６４に記憶する（ステップＳ１２）。この記憶された撮影映像により監視状況を把握することができる。この監視サーバ６が監視センタなどに設置され、監視員が常時待機している場合には、監視サーバ６の表示部６３に表示し、異常発生に直ちに対応できるようにすることが望ましい。また、異常発生情報を他の防犯システムに送信してその対応を図ることも望ましい。
【００３７】
本実施例によれば、監視エリア２０内を撮影する監視カメラ４と、監視エリア２０の複数箇所に設置され、その監視エリア２０内の移動体２に取付けられた無線タグ３から情報を無線により受信する無線ＬＡＮ送受信機５と、監視カメラ４及び無線ＬＡＮ送受信機５と情報を送受信する監視サーバ６とを備え、監視サーバ６は、複数の無線ＬＡＮ送受信機５で受信した無線タグ３の情報に基づいて三辺測量法により移動体２の位置を認識すると共に、移動体２の異常発生情報に基づいて当該移動体２の撮影を開始するように監視カメラ４に撮影開始指令を送信し、監視カメラ４で撮影した映像を記録する機能を備えているので、監視対象の移動体２の位置を精度よく認識できると共に、撮影映像の記録容量を格段に低減しつつ確実な監視が可能な移動体監視システム１００を実現できる。
【図面の簡単な説明】
【００３８】
【図１】本発明の一実施例に係る移動体監視システムの構成図である。
【図２】本実施例の監視サーバの構成図である。
【図３】本実施例の監視サーバの記憶部のファイル構成図である。
【図４】本実施例の移動体監視システムの動作例１の説明図である。
【図５】本実施例の移動体監視システムの動作例２の説明図である。
【図６】本実施例の移動体監視システムの動作例３の説明図である。
【図７】本実施例の移動体監視システムの動作例４の説明図である。
【図８】本実施例の移動体監視システムの動作例５の説明図である。
【図９】本実施例の移動体監視システムの動作例６の説明図である。
【図１０】本実施例の移動体監視システムの動作例７の動作フローチャートである。
【符号の説明】
【００３９】
１…有線ＬＡＮ、２…移動体（車両）、３…無線タグ、４…監視カメラ、５…無線ＬＡＮ受信機、６…監視サーバ、７…車両管理サーバ、８…Ｗｅｂサーバ、９…利用者端末、９ａ…携帯端末、９ｂ…ＰＤＡ端末、１０…入力端末、１０Ａ…バーコードリーダ、２０…監視エリア、１００…移動体監視システム。
【図１】
2006163764.tif 000003
【図２】
2006163764.tif 000004
【図３】
2006163764.tif 000005
【図４】
2006163764.tif 000006
【図５】
2006163764.tif 000007
【図６】
2006163764.tif 000008
【図７】
2006163764.tif 000009
【図８】
2006163764.tif 000010
【図９】
2006163764.tif 000011
【図１０】
2006163764.tif 000012